(57)【特許請求の範囲】
【請求項１】
カメラボディを着脱可能に取り付け可能な取付手段と、
前記カメラボディが電源オフ状態のときには第１出力電流を、前記カメラボディが電源オン状態のときには前記第１出力電流より大きい第２出力電流を、それぞれ前記カメラボディから受給可能な受電手段と、
操作部材と、
前記操作部材の操作を検知する検知手段と、
前記カメラボディとの間で信号の授受が可能なレンズ側通信手段と、
を備える交換レンズであって、
前記交換レンズは、前記第１出力電流より小さい第１消費電流で動作する第１動作状態と、前記第１消費電流より大きいが前記第１出力電流以下である第２消費電流で動作する第２動作状態と、前記第１出力電流より大きいが前記第２出力電流以下である第３消費電流で動作する第３動作状態と、を有し、
前記交換レンズは、前記カメラボディが前記電源オフ状態のとき、前記第１動作状態で動作すると共に、前記検知手段により前記操作部材の操作が検知されたことに応じて前記第２動作状態になり、
前記レンズ側通信手段は、前記交換レンズが前記第２動作状態になったことに応じて、前記電源オン状態への状態変更指示を表す第１信号を前記カメラボディに出力し、
前記交換レンズは、前記第２動作状態のとき、前記カメラボディが前記第１信号により前記電源オン状態になったことを表す第２信号が前記レンズ側通信手段に入力されたことに応じて前記第３動作状態になり、
前記レンズ側通信手段は、前記交換レンズが前記第１動作状態のとき、前記第１信号を前記カメラボディに出力できないことを特徴とする交換レンズ。
【請求項２】
請求項１に記載の交換レンズにおいて、
前記レンズ側通信手段は、前記カメラボディからクロック信号が出力される第１信号線と、前記カメラボディから前記クロック信号に同期して第１データ信号が出力される第２信号線と、前記レンズ側通信手段から前記クロック信号に同期して第２データ信号が出力される第３信号線と、前記レンズ側通信手段から前記レンズ側通信手段のデータ通信の可否を表す通信可否信号が出力される第４信号線とを用いて、前記クロック信号と前記第１データ信号と前記第２データ信号と前記通信可否信号とを用いた前記カメラボディとのデータ通信が可能に構成され、
前記レンズ側通信手段は、前記第１信号の出力および前記第２信号の入力をそれぞれ、前記第１信号線、前記第２信号線、前記第３信号線、および前記第４信号線のいずれかにより行うことを特徴とする交換レンズ。
【請求項３】
請求項２に記載の交換レンズにおいて、
前記レンズ側通信手段は、前記交換レンズが前記第１動作状態および前記第２動作状態のとき、前記クロック信号と前記第１データ信号と前記第２データ信号と前記通信可否信号とを用いた前記カメラボディとのデータ通信を行えないことを特徴とする交換レンズ。
【請求項４】
請求項１〜３のいずれか一項に記載の交換レンズにおいて、
前記交換レンズは、前記第１動作状態のとき、前記第２信号が前記レンズ側通信手段に入力されたことに応じて前記第３動作状態になることを特徴とする交換レンズ。
【請求項５】
請求項１〜４のいずれか一項に記載の交換レンズにおいて、
前記交換レンズは、前記第１動作状態および前記第２動作状態のとき、撮影を行えないことを特徴とする交換レンズ。
【請求項６】
カメラボディと、前記カメラボディに着脱可能な交換レンズと、から成るカメラシステムであって、
前記カメラボディは、
前記カメラボディおよび前記交換レンズへの電力の供給源である電源と、
前記カメラボディの電源オフ状態と電源オン状態とを切り替える状態切替手段と、
前記カメラボディが前記電源オフ状態のときには第１出力電流を、前記カメラボディが前記電源オン状態のときには前記第１出力電流より大きい第２出力電流を、それぞれ前記交換レンズに供給可能な電力供給手段と、
前記交換レンズとの間で信号の授受が可能なボディ側通信手段と、
を備え、
前記交換レンズは、
操作部材と、
前記操作部材の操作を検知する検知手段と、
前記カメラボディとの間で信号の授受が可能なレンズ側通信手段と、
を備え、
前記交換レンズは、前記第１出力電流より小さい第１消費電流で動作する第１動作状態と、前記第１消費電流より大きいが前記第１出力電流以下である第２消費電流で動作する第２動作状態と、前記第１出力電流より大きいが前記第２出力電流以下であるの第３消費電流で動作する第３動作状態と、を有し、
前記交換レンズは、前記カメラボディが前記電源オフ状態のとき、前記第１動作状態で動作すると共に、前記検知手段により前記操作部材の操作が検知されたことに応じて前記第２動作状態になり、
前記レンズ側通信手段は、前記交換レンズが前記第２動作状態になったことに応じて前記ボディ側通信手段に第１信号を出力し、
前記状態切替手段は、前記第１信号の入力に応じて前記カメラボディを前記電源オン状態に切り替え、
前記ボディ側通信手段は、前記電力供給手段が前記第２出力電流を供給可能になったことに応じて前記レンズ側通信手段に第２信号を出力し、
前記交換レンズは、前記第２動作状態のとき、前記第２信号の入力に応じて前記第３動作状態になり、
前記交換レンズは、前記第１動作状態のとき、前記ボディ側通信手段に前記第１信号を出力できないことを特徴とするカメラシステム。
【請求項７】
請求項６に記載のカメラシステムにおいて、
前記電力供給手段は、前記第１出力電流を供給可能な第１電源回路と、前記第２出力電流を供給可能な第２電源回路とを有し、前記カメラボディが前記電源オフ状態のときは前記第１電源回路により、前記カメラボディが前記電源オン状態のときは前記第２電源回路により、それぞれ前記交換レンズに電力を供給することを特徴とするカメラシステム。
【発明の詳細な説明】
【技術分野】
【０００１】
本発明は、交換レンズおよびカメラシステムに関する。
【背景技術】
【０００２】
従来、交換レンズとカメラボディとから成るカメラシステムにおいて、交換レンズに設けられた操作部材により、カメラボディの電源状態を変更可能なものが知られている。例えば特許文献１には、カメラから電力供給を受けている場合には交換レンズ側のスイッチとレンズＭＰＵとを接続し、カメラからの電源供給が途絶えた場合には交換レンズ側のスイッチをカメラＭＰＵに接続する一眼レフカメラが記載されている。
【先行技術文献】
【特許文献】
【０００３】
【特許文献１】特開２００９−１８６５４５号公報
【発明の概要】
【発明が解決しようとする課題】
【０００４】
従来技術のように操作部材の接続を機械的に切り換える機構は、部品点数の増加や回路の複雑化および肥大化を招いてしまう。他方、操作部材の操作を検知するために交換レンズへの電源供給を継続すると、消費電力が大きくなってしまうという問題があった。
【課題を解決するための手段】
【０００５】
請求項１に係る発明は、カメラボディを着脱可能に取り付け可能な取付手段と、カメラボディが電源オフ状態のときには第１出力電流を、カメラボディが電源オン状態のときには第１出力電流より大きい第２出力電流を、それぞれカメラボディから受給可能な受電手段と、操作部材と、操作部材の操作を検知する検知手段と、カメラボディとの間で信号の授受が可能なレンズ側通信手段と、を備える交換レンズであって、交換レンズは、第１出力電流より小さい第１消費電流で動作する第１動作状態と、第１消費電流より大きいが第１出力電流以下である第２消費電流で動作する第２動作状態と、第１出力電流より大きいが第２出力電流以下である第３消費電流で動作する第３動作状態と、を有し、交換レンズは、カメラボディが電源オフ状態のとき、第１動作状態で動作すると共に、検知手段により操作部材の操作が検知されたことに応じて第２動作状態になり、レンズ側通信手段は、交換レンズが第２動作状態になったことに応じて、電源オン状態への状態変更指示を表す第１信号をカメラボディに出力し、交換レンズは、第２動作状態のとき、カメラボディが第１信号により電源オン状態になったことを表す第２信号がレンズ側通信手段に入力されたことに応じて第３動作状態になり、レンズ側通信手段は、交換レンズが第１動作状態のとき、第１信号を前記カメラボディに出力できないことを特徴とする交換レンズである。
請求項６に係る発明は、カメラボディと、カメラボディに着脱可能な交換レンズと、から成るカメラシステムであって、カメラボディは、カメラボディおよび交換レンズへの電力の供給源である電源と、カメラボディの電源オフ状態と電源オン状態とを切り替える状態切替手段と、カメラボディが電源オフ状態のときには第１出力電流を、カメラボディが電源オン状態のときには第１出力電流より大きい第２出力電流を、それぞれ交換レンズに供給可能な電力供給手段と、交換レンズとの間で信号の授受が可能なボディ側通信手段と、を備え、交換レンズは、操作部材と、操作部材の操作を検知する検知手段と、カメラボディとの間で信号の授受が可能なレンズ側通信手段と、を備え、交換レンズは、第１出力電流より小さい第１消費電流で動作する第１動作状態と、第１消費電流より大きいが第１出力電流以下である第２消費電流で動作する第２動作状態と、第１出力電流より大きいが第２出力電流以下であるの第３消費電流で動作する第３動作状態と、を有し、交換レンズは、カメラボディが電源オフ状態のとき、第１動作状態で動作すると共に、検知手段により操作部材の操作が検知されたことに応じて第２動作状態になり、レンズ側通信手段は、交換レンズが第２動作状態になったことに応じてボディ側通信手段に第１信号を出力し、状態切替手段は、第１信号の入力に応じてカメラボディを電源オン状態に切り替え、ボディ側通信手段は、電力供給手段が第２出力電流を供給可能になったことに応じてレンズ側通信手段に第２信号を出力し、交換レンズは、第２動作状態のとき、第２信号の入力に応じて第３動作状態になり、交換レンズは、第１動作状態のとき、ボディ側通信手段に第１信号を出力できないことを特徴とするカメラシステムである。
【発明の効果】
【０００６】
本発明によれば、交換レンズ側の操作部材による電源状態の変更を、機械的な接続切換機構を使用せず且つ低消費電力で行うことが可能になる。
【図面の簡単な説明】
【０００７】
【図１】本発明を適用したレンズ交換式のカメラシステムを示した斜視図である。
【図２】本発明を適用したレンズ交換式のカメラシステムを示した断面図である。
【図３】保持部１０２，２０２の詳細を示す模式図である。
【図４】コマンドデータ通信の例を示すタイミングチャートである。
【図５】ホットライン通信の例を示すタイミングチャートである。
【図６】送電部１３０および受電部２３０の詳細を示すブロック図である。
【図７】ボタン１０７の押下によりカメラボディ１００を電源オン状態にする様子を示すタイミングチャートである。
【図８】ボタン２０７の押下によりカメラボディ１００を電源オン状態にする様子を示すタイミングチャートである。
【発明を実施するための形態】
【０００８】
（第１の実施の形態）
図１は、本発明を適用したレンズ交換式のカメラシステムを示した斜視図である。なお、図１では本発明に係わる機器および装置のみを示し、それ以外の機器および装置については図示と説明を省略する。カメラ１は、カメラボディ１００と、カメラボディ１００に着脱可能な交換レンズ２００とから構成される。
【０００９】
カメラボディ１００には交換レンズ２００が着脱可能に取り付けられるレンズマウント１０１が設けられている。カメラボディ１００のレンズマウント１０１の近傍（レンズマウント１０１の内周側）の位置には、レンズマウント１０１の内周側に部分的に突出する状態で、接点を保持する保持部（電気的な接続部）１０２が設けられている。この保持部１０２には複数の接点が設けられている。
【００１０】
また交換レンズ２００には、ボディ側のレンズマウント１０１に対応する、カメラボディ１００が着脱可能に取り付けられるレンズマウント２０１が設けられている。交換レンズ２００のレンズマウント２０１の近傍（レンズマウント２０１の内周側）の位置には、レンズマウント２０１の内周側に部分的に突出する状態で、接点を保持する保持部（電気的な接続部）２０２が設けられている。この保持部２０２には複数の接点が設けられている。
【００１１】
カメラボディ１００に交換レンズ２００が装着されると、複数の接点が設けられた保持部１０２が、複数の接点が設けられた保持部２０２に電気的に且つ物理的に接続される。両保持部１０２，２０２は、カメラボディ１００から交換レンズ２００への電力供給、および、カメラボディ１００と交換レンズ２００との信号の送受信に利用される。
【００１２】
カメラボディ１００内のレンズマウント１０１後方には、例えばＣＭＯＳやＣＣＤなどの撮像素子１０４が設けられる。カメラボディ１００の上方には、入力装置たるボタン１０７が設けられている。カメラボディ１００が電源オフ状態のとき、ユーザによりボタン１０７が押下されると、カメラボディ１００は電源オン状態になる。また、交換レンズ２００の鏡筒側面にも、ボタン１０７と同様のボタン２０７が設けられている。カメラボディ１００が電源オフ状態のとき、カメラボディ１００に取り付けられている交換レンズ２００のボタン２０７がユーザにより押下されると、カメラボディ１００は電源オン状態になる。
【００１３】
図２は、本発明を適用したレンズ交換式のカメラシステムを示した断面図である。交換レンズ２００は、被写体像を結像させる結像光学系２１０を備える。結像光学系２１０は複数のレンズ２１０ａ〜２１０ｃおよび絞り２１１により構成されている。これら複数のレンズ２１０ａ〜２１０ｃには、被写体像のピント位置を制御するためのフォーカシングレンズ２１０ｂと、被写体像の像ぶれを補正するぶれ補正レンズ２１０ｃが含まれている。
【００１４】
交換レンズ２００内部には、交換レンズ２００の各部の制御を司るレンズ制御部２０３が設けられている。レンズ制御部２０３は不図示のマイクロコンピュータおよびその周辺回路等から構成される。レンズ制御部２０３には、レンズ側第１通信部２１７、レンズ側第２通信部２１８、フォーカシングレンズ駆動部２１２、ぶれ補正レンズ駆動部２１３、絞り駆動部２１４、ＲＯＭ２１５、ＲＡＭ２１６、および受電部２３０が接続されている。レンズ制御部２０３には更に、図１に示したボタン２０７が接続されており、レンズ制御部２０３はボタン２０７の押下操作を検知することができる。
【００１５】
レンズ側第１通信部２１７およびレンズ側第２通信部２１８は、保持部１０２、２０２の各通信接点を介して、カメラボディ１００との間で信号の授受が可能に構成されている。このレンズ側第１通信部２１７とレンズ側第２通信部２１８はそれぞれ、交換レンズ２００側の通信インターフェースである。レンズ制御部２０３はこれら通信インターフェースを使って、カメラボディ１００（後述するボディ制御部１０３）との間で後述する各データ通信（ホットライン通信、コマンドデータ通信）を行う。受電部２３０は、カメラボディ１００から保持部１０２、２０２の電力供給接点を介して、カメラボディ１００からレンズ制御部２０３を含む各部の動作電流を受電する。
【００１６】
フォーカシングレンズ駆動部２１２は例えばステッピングモータ等のアクチュエータを有し、フォーカシングレンズ駆動部２１２に入力された信号に応じてフォーカシングレンズ２１０ｂを駆動する。ぶれ補正レンズ駆動部２１３および絞り駆動部２１４も同様に、例えばボイスコイルモータ等のアクチュエータをそれぞれ有しており、入力信号に応じてぶれ補正レンズ２１０ｃおよび絞り２１１をそれぞれ駆動する。フォーカシングレンズ２１０ｂは、フォーカシングレンズ駆動部２１２により光軸方向に駆動される。ぶれ補正レンズ２１０ｃは、ぶれ補正レンズ駆動部２１３により光軸の垂直方向（Ｘ方向、Ｙ方向）に駆動される。絞り２１１は、絞り駆動部２１４により、被写体光を通過させるための開口の大きさ（開口径）が変化するように駆動される。
【００１７】
ＲＯＭ２１５は不揮発性の記憶媒体であり、レンズ制御部２０３が実行する所定の制御プログラム等が予め記憶される。ＲＡＭ２１６は揮発性の記憶媒体であり、レンズ制御部２０３により各種データの記憶領域として利用される。
【００１８】
撮像素子１０４の前面には、撮像素子１０４の露光状態を制御するためのシャッター１１５と、光学的ローパスフィルターや赤外線カットフィルターを組み合わせた光学フィルター１１６とが設けられている。結像光学系２１０を透過した被写体光は、シャッター１１５およびフィルター１１６を介して撮像素子１０４に入射する。
【００１９】
カメラボディ１００内部には、カメラボディ１００の各部の制御を司るボディ制御部１０３が設けられている。ボディ制御部１０３は不図示のマイクロコンピュータ、ＲＡＭおよびその周辺回路等から構成される。ボディ制御部１０３には図１に示したボタン１０７が接続されており、ボタン１０７の押下操作を検知することが可能である。
【００２０】
ボディ制御部１０３には、ボディ側第１通信部１１７およびボディ側第２通信部１１８が接続されている。ボディ側第１通信部１１７およびボディ側第２通信部１１８は共に保持部１０２に接続されており、交換レンズ２００との間で信号の授受が可能である。ボディ側第１通信部１１７は、保持部１０２に設けられた複数の通信接点を介して、レンズ側第１通信部２１７とデータの授受を行うことができる。同様に、ボディ側第２通信部１１８はレンズ側第２通信部２１８とデータの授受を行うことができる。換言すれば、ボディ側第１通信部１１７とボディ側第２通信部１１８はそれぞれ、ボディ側の通信インターフェースである。ボディ制御部１０３はこれら通信インターフェースを使って、交換レンズ２００（レンズ制御部２０３）との間で、後述する各通信（ホットライン通信、コマンドデータ通信）を行う。
【００２１】
カメラボディ１００の背面には、ＬＣＤパネル等により構成される表示装置１１１が配置される。ボディ制御部１０３はこの表示装置１１１に対し、撮像素子１０４の出力に基づく被写体の画像（いわゆるスルー画）や、撮影条件等を設定するための各種のメニュー画面を表示する。
【００２２】
（保持部１０２，２０２の説明）
図３は保持部１０２，２０２の詳細を示す模式図である。なお図３において保持部１０２がレンズマウント１０１の右側に配置されているのは、実際のマウント構造に倣ったものである。すなわち、本実施形態の保持部１０２は、カメラボディ１００のレンズマウント１０１のマウント面よりも奥まった場所（図３においてレンズマウント１０１よりも右側の場所）に配置されている。同様に、保持部２０２がレンズマウント２０１の右側に配置されているのは、本実施形態の保持部２０２が交換レンズ２００のレンズマウント２０１のマウント面よりも突出した場所に配置されていることを表している。保持部１０２と保持部２０２がこのように配置されているので、レンズマウント１０１のマウント面とレンズマウント２０１のマウント面とを接触させて、カメラボディ１００と交換レンズ２００とをマウント結合させると、保持部１０２と保持部２０２とが接続され、両保持部に設けられている電気接点同士も接続することになる。このようなマウント構造については周知であるのでこれ以上の説明、図示を省略する。
【００２３】
図３に示すように、保持部１０２にはＢＰ１〜ＢＰ１２の１２個の接点が存在する。また保持部２０２には、上記の１２個の接点にそれぞれ対応する、ＬＰ１〜ＬＰ１２の１２個の接点が存在する。
【００２４】
接点ＢＰ１および接点ＢＰ２は、カメラボディ１００内の送電部１３０に接続されている。送電部１３０は、接点ＢＰ１に、アクチュエータ等の駆動系を有し消費電力が比較的大きい回路（フォーカシングレンズ駆動部２１２、ぶれ補正レンズ駆動部２１３、絞り駆動部２１４など）を除く交換レンズ２００内の各部の動作電圧を供給する。すなわち、接点ＢＰ１および接点ＬＰ１からは、上記の各駆動部を除く交換レンズ２００内の各部の動作電圧が供給される。この接点ＢＰ１に供給可能な電圧値は、最小電圧値〜最大電圧値の範囲（例えば３Ｖ台での電圧幅）をもつが、標準的に供給される電圧値はその最大電圧値と最小電圧値の中間値近傍の電圧値である。そしてこれにより、カメラボディ１００側から交換レンズ２００側に供給される電流値は、電源ＯＮ状態において、約数１０ｍＡ〜数１００ｍＡの範囲内の電流値である。
【００２５】
接点ＢＰ２は、接点ＢＰ１に与えられる上記動作電圧に対応する接地端子である。すなわち、接点ＢＰ２および接点ＬＰ２は、上記の動作電圧に対応する接地端子電圧である。接点ＬＰ１および接点ＬＰ２は、交換レンズ２００内の受電部２３０に接続されている。受電部２３０は、カメラボディ１００から供給された電力を、レンズ制御部２０３を含む交換レンズ２００内の各部に供給する。
【００２６】
以下の説明では、接点ＢＰ１および接点ＬＰ１により構成される信号線を、信号線Ｖ３３と呼ぶ。また、接点ＢＰ２および接点ＬＰ２により構成される信号線を、信号線ＧＮＤと呼ぶ。これらの接点ＬＰ１，ＬＰ２、ＢＰ１，ＢＰ２は、カメラボディ１００側から交換レンズ２００側へ電源供給するための、電源系接点を構成する。
【００２７】
接点ＢＰ３，ＢＰ４，ＢＰ５，およびＢＰ６は、ボディ側第１通信部１１７に接続されている。これらの接点に対応する交換レンズ２００側の接点ＬＰ３，ＬＰ４，ＬＰ５，およびＬＰ６は、レンズ側第１通信部２１７に接続されている。ボディ側第１通信部１１７とレンズ側第１通信部２１７は、これらの接点（通信系接点）を用いて、互いにデータの送受信を行う。ボディ側第１通信部１１７とレンズ側第１通信部２１７が行う通信の内容については、後に詳述する。
【００２８】
なお以下の説明では、接点ＢＰ３および接点ＬＰ３により構成される信号線を、信号線ＣＬＫと呼ぶ。同様に、接点ＢＰ４および接点ＬＰ４により構成される信号線を信号線ＢＤＡＴと、接点ＢＰ５および接点ＬＰ５により構成される信号線を信号線ＬＤＡＴと、接点ＢＰ６および接点ＬＰ６により構成される信号線を信号線ＲＤＹと呼ぶ。
【００２９】
接点ＢＰ７，ＢＰ８，ＢＰ９，およびＢＰ１０は、ボディ側第２通信部１１８に接続されている。これらの接点に対応する交換レンズ２００側の接点ＬＰ７，ＬＰ８，ＬＰ９，およびＬＰ１０は、レンズ側第２通信部２１８に接続されている。レンズ側第２通信部２１８は、これらの接点（通信系接点）を用いて、ボディ側第２通信部１１８にデータの送信を行う。ボディ側第２通信部１１８とレンズ側第２通信部２１８が行う通信の内容については、後に詳述する。
【００３０】
なお以下の説明では、接点ＢＰ７および接点ＬＰ７により構成される信号線を、信号線ＨＲＥＱと呼ぶ。同様に、接点ＢＰ８および接点ＬＰ８により構成される信号線を信号線ＨＡＮＳと、接点ＢＰ９および接点ＬＰ９により構成される信号線を信号線ＨＣＬＫと、接点ＢＰ１０および接点ＬＰ１０により構成される信号線を信号線ＨＤＡＴと呼ぶ。
【００３１】
接点ＢＰ１１および接点ＢＰ１２は、カメラボディ１００内の電源回路１４０に接続されている。電源回路１４０は、接点ＢＰ１２に、アクチュエータ等の駆動系を有し消費電力が比較的大きい回路（フォーカシングレンズ駆動部２１２、ぶれ補正レンズ駆動部２１３、絞り駆動部２１４など）の駆動電圧を供給する。すなわち、接点ＢＰ１２および接点ＬＰ１２からは、フォーカシングレンズ駆動部２１２、ぶれ補正レンズ駆動部２１３、および絞り駆動部２１４の駆動電圧が供給される。この接点ＢＰ１２に供給可能な電圧値は、最小電圧値〜最大電圧値の範囲をもつが、その範囲はいずれも、前述した接点ＢＰ１に供給可能な電圧値範囲よりも大きい電圧値である（例えば、接点ＢＰ１２に供給可能な最大電圧値は、接点ＢＰ１に供給可能な最大電圧値の数倍程度）。即ち接点ＢＰ１２に供給される電圧値は、上述の接点ＢＰ１に供給される電圧値とは、その大きさが異なる電圧値である。なお接点ＢＰ１２に標準的に供給される電圧値は、接点ＢＰ１２に供給可能な最大電圧値と最小電圧値の中間値近傍の電圧値である。そしてこれにより、カメラボディ１００側から交換レンズ２００側に供給される電流は、電源ＯＮ状態において、約１０ｍＡ〜数Ａの電流値となる。
【００３２】
接点ＢＰ１１は、接点ＢＰ１２に与えられる上記駆動電圧に対応する接地端子である。すなわち、接点ＢＰ１１および接点ＬＰ１１は、上記駆動電圧に対応する接地端子である。
【００３３】
以下の説明では、接点ＢＰ１１および接点ＬＰ１１により構成される信号線を、信号線ＰＧＮＤと呼ぶ。また、接点ＢＰ１２および接点ＬＰ１２により構成される信号線を、信号線ＢＡＴと呼ぶ。これらの接点ＬＰ１１，ＬＰ１２、ＢＰ１１，ＢＰ１２は、カメラボディ１００側から交換レンズ２００側へ電源供給するための、電源系接点を構成する。
【００３４】
なお、上述の接点ＢＰ１２、接点ＬＰ１２に供給される電圧値（電流値）と、接点ＢＰ１，ＬＰ１に供給される電圧値（電流値）との大小関係から明らかなように、それら各接点に供給される電圧にそれぞれに対する接地端子となる接点ＢＰ１１および接点ＬＰ１１を流れる電流の最大値と最小値との差は、接点ＢＰ２および接点ＬＰ２を流れる電流の最大値と最小値との差よりも大きくなっている。これは、アクチュエータ等の駆動系を有する各駆動部が消費する電力が、交換レンズ２００内のレンズ制御部２０３等の電子回路に比べて大きいこと、ならびに、被駆動部材を駆動する必要がない場合には各駆動部が電力を消費しないことに拠る。
【００３５】
（コマンドデータ通信の説明）
レンズ制御部２０３は、レンズ側第１通信部２１７を制御して、接点ＬＰ３〜ＬＰ６、すなわち信号線ＣＬＫ，ＢＤＡＴ，ＬＤＡＴ，およびＲＤＹを介して、ボディ側第１通信部１１７からの制御データの受信と、ボディ側第１通信部１１７への応答データの送信とを並行して、第１の所定周期（本実施形態では例えば１６ミリ秒）で行う。以下、レンズ側第１通信部２１７とボディ側第１通信部１１７との間で行われる通信の詳細を説明する。
【００３６】
なお、本実施形態において、レンズ制御部２０３およびレンズ側第１通信部２１７と、ボディ制御部１０３およびボディ側第１通信部１１７との間で行われる通信を「コマンドデータ通信」と称する。また、コマンドデータ通信に利用される４つの信号線（信号線ＣＬＫ，ＢＤＡＴ，ＬＤＡＴ，およびＲＤＹ）から成る伝送路を第１伝送路と称する。
【００３７】
図４は、コマンドデータ通信の例を示すタイミングチャートである。ボディ制御部１０３およびボディ側第１通信部１１７は、コマンドデータ通信の開始時（Ｔ１）、まず信号線ＲＤＹの信号レベルを確認する。信号線ＲＤＹの信号レベルはレンズ側第１通信部２１７の通信可否を表している。つまり、信号線ＲＤＹにはレンズ側第１通信部２１７から、データ通信の可否を表す通信可否信号が出力される。レンズ制御部２０３およびレンズ側第１通信部２１７は、通信できない状態である場合には、接点ＬＰ６からＨ（Ｈｉｇｈ）レベルの信号を出力する。すなわち、信号線ＲＤＹの信号レベルをＨレベルにする。ボディ制御部１０３およびボディ側第１通信部１１７は、信号線ＲＤＹがＨレベルである場合、これがＬレベルになるまで通信開始しない。また通信中の次の処理を実行しない。
【００３８】
信号線ＲＤＹがＬ（Ｌｏｗ）レベルであれば、ボディ制御部１０３およびボディ側第１通信部１１７は接点ＢＰ３からクロック信号４０１を出力する。すなわち、信号線ＣＬＫを介してレンズ側第１通信部２１７にクロック信号４０１を伝送する。ボディ制御部１０３およびボディ側第１通信部１１７はこのクロック信号４０１に同期して、接点ＢＰ４から制御データの前半部分であるボディ側コマンドパケット信号４０２を出力する。すなわち、信号線ＢＤＡＴを介してレンズ側第１通信部２１７にボディ側コマンドパケット信号４０２を伝送する。
【００３９】
また、信号線ＣＬＫにクロック信号４０１が出力されると、レンズ制御部２０３およびレンズ側第１通信部２１７は、クロック信号４０１に同期して接点ＬＰ５から応答データの前半部分であるレンズ側コマンドパケット信号４０３を出力する。すなわち、信号線ＬＤＡＴを介してボディ側第１通信部１１７にレンズ側コマンドパケット信号４０３を伝送する。
【００４０】
レンズ制御部２０３およびレンズ側第１通信部２１７は、レンズ側コマンドパケット信号４０３の送信完了に応じて、信号線ＲＤＹの信号レベルをＨレベルにする（Ｔ２）。レンズ制御部２０３は、受信したボディ側コマンドパケット信号４０２の内容に応じた処理である第１制御処理４０４（後述）を開始する。
【００４１】
レンズ制御部２０３は第１制御処理４０４が完了すると、レンズ側第１通信部２１７に第１制御処理４０４の完了を通知する。レンズ側第１通信部２１７はこの通知に応じて、接点ＬＰ６からＬレベルの信号を出力する。すなわち、信号線ＲＤＹの信号レベルをＬレベルにする（Ｔ３）。ボディ制御部１０３およびボディ側第１通信部１１７はこの信号レベルの変化に応じて、接点ＢＰ３からクロック信号４０５を出力する。すなわち、信号線ＣＬＫを介してレンズ側第１通信部２１７にクロック信号４０５を伝送する。
【００４２】
ボディ制御部１０３およびボディ側第１通信部１１７はこのクロック信号４０５に同期して、接点ＢＰ４から制御データの後半部分であるボディ側データパケット信号４０６を出力する。すなわち、信号線ＢＤＡＴを介してレンズ側第１通信部２１７にボディ側データパケット信号４０６を伝送する。
【００４３】
また、信号線ＣＬＫにクロック信号４０５が出力されると、レンズ制御部２０３およびレンズ側第１通信部２１７はクロック信号４０５に同期して接点ＬＰ５から応答データの後半部分であるレンズがデータパケット信号４０７を出力する。すなわち、信号線ＬＤＡＴを介してボディ側第１通信部１１７にレンズ側データパケット信号４０７を伝送する。
【００４４】
レンズ制御部２０３およびレンズ側第１通信部２１７は、レンズ側データパケット信号４０７の送信完了に応じて、信号線ＲＤＹの信号レベルを再びＨレベルにする（Ｔ４）。レンズ制御部２０３は、受信したボディ側データパケット信号４０６の内容に応じた処理である第２制御処理４０８（後述）を開始する。
【００４５】
以上のように、レンズ側第１通信部２１７は、カメラボディ１００からクロック信号が出力される信号線ＣＬＫと、カメラボディ１００からクロック信号に同期してデータ信号が出力される信号線ＢＤＡＴと、レンズ側第１通信部２１７からクロック信号に同期してデータ信号が出力される信号線ＬＤＡＴと、レンズ側第１通信部２１７からレンズ側第１通信部２１７のデータ通信の可否を表す通信可否信号が出力される信号線ＲＤＹと、を用いてカメラボディ１００とのデータ通信を行う。
【００４６】
ここで、レンズ制御部２０３が行う第１制御処理４０４、および第２制御処理４０８について述べる。
【００４７】
例えば、受信したボディ側コマンドパケット信号４０２が、交換レンズ側の特定のデータを要求する内容であった場合について述べる。レンズ制御部２０３は、第１制御処理４０４として、コマンドパケット信号４０２の内容を解析処理すると共に、当該要求されている特定データを生成する処理を実行する。更にレンズ制御部２０３は、第１制御処理４０４として、コマンドパケット信号４０２に含まれているチェックサムデータを用いて、コマンドパケット信号４０２の通信にエラーがないか否かをデータバイト数から簡易的にチェックする通信エラーチェック処理をも実行する。この第１制御処理４０４で生成された特定データの信号は、レンズ側データパケット信号４０７としてボディ側に出力される。なお、この場合においてコマンドパケット信号４０２の後でボディ側から出力されるボディ側データパケット信号４０６は、レンズ側にとっては特に意味をなさないダミーデータ信号（チェックサムデータは含む）となっている。この場合にはレンズ制御部２０３は、第２制御処理４０８として、ボディ側データパケット信号４０６に含まれるチェックサムデータを用いた、上述の如き通信エラーチェック処理を実行する。
【００４８】
また例えば、受信したボディ側コマンドパケット信号４０２が、レンズ側の被駆動部材を駆動する指示であった場合について述べる。例えば、コマンドパケット信号４０２がフォーカシングレンズ２１０ｂの駆動指示であり、受信したボディ側データパケット信号４０６がフォーカシングレンズ２１０ｂの駆動量であった場合について述べる。レンズ制御部２０３は、第１制御処理４０４として、コマンドパケット信号４０２の内容を解析処理すると共に、その内容を理解したことを表す了解信号を生成する。更にレンズ制御部２０３は、第１制御処理４０４として、コマンドパケット信号４０２に含まれているチェックサムデータを用いて、上述の如き通信エラーチェック処理をも実行する。この第１制御処理４０４で生成された了解信号は、レンズ側データパケット信号４０７としてボディ側に出力される。またレンズ制御部２０３は、第２制御処理４０８として、ボディ側データパケット信号４０６の内容の解析処理を実行すると共に、ボディ側データパケット信号４０６に含まれるチェックサムデータを用いた上述の如き通信エラーチェック処理を実行する。
【００４９】
レンズ制御部２０３は第２制御処理４０８が完了すると、レンズ側第１通信部２１７に第２制御処理４０８の完了を通知する。これによってレンズ制御部２０３は、レンズ側第１通信部２１７に、接点ＬＰ６からＬレベルの信号を出力させる。すなわち、信号線ＲＤＹの信号レベルをＬレベルにする（Ｔ５）。
【００５０】
なお受信したボディ側コマンドパケット信号４０２が、上述のようなレンズ側の被駆動部材（たとえばフォーカシングレンズ）を駆動する指示であった場合、レンズ制御部２０３は、レンズ側第１通信部２１７に信号線ＲＤＹの信号レベルをＬレベルにさせつつ、フォーカシングレンズ駆動部２１２に対して、フォーカシングレンズ２１０ｂを当該駆動量だけ駆動する処理を実行させる。
【００５１】
上述した時刻Ｔ１〜時刻Ｔ５に行われた通信が、１回のコマンドデータ通信である。上述のように、１回のコマンドデータ通信では、ボディ制御部１０３およびボディ側第１通信部１１７により、ボディ側コマンドパケット信号４０２およびボディ側データパケット信号４０６がそれぞれ１つずつ送信される。すなわち、処理の都合上２つに分割されて送信されるものの、ボディ側コマンドパケット信号４０２およびボディ側データパケット信号４０６は２つ合わせて１つの制御データを構成する。
【００５２】
同様に、１回のコマンドデータ通信では、レンズ制御部２０３およびレンズ側第１通信部２１７によりレンズ側コマンドパケット信号４０３およびレンズ側データパケット信号４０７がそれぞれ１つずつ送信される。すなわち、レンズ側コマンドパケット信号４０３およびレンズ側データパケット信号４０７は２つ合わせて１つの応答データを構成する。
【００５３】
以上のように、レンズ制御部２０３およびレンズ側第１通信部２１７は、ボディ側第１通信部１１７からの制御データの受信と、ボディ側第１通信部１１７への応答データの送信とを並行して行う。コマンドデータ通信に利用される接点ＬＰ６および接点ＢＰ６は、他のクロック信号に同期しない非同期信号（信号線ＲＤＹの信号レベル／Ｈ（Ｈｉｇｈ）レベル、またはＬ（Ｌｏｗ）レベル）が伝送される接点である。
【００５４】
（ホットライン通信の説明）
レンズ制御部２０３は、レンズ側第２通信部２１８を制御して、接点ＬＰ７〜ＬＰ１０、すなわち信号線ＨＲＥＱ，ＨＡＮＳ，ＨＣＬＫ，およびＨＤＡＴを介して、ボディ側第２通信部１１８へレンズ位置データを送信する。以下、レンズ側第２通信部２１８とボディ側第２通信部１１８との間で行われる通信の詳細を説明する。
【００５５】
なお、本実施形態において、レンズ制御部２０３およびレンズ側第２通信部２１８と、ボディ制御部１０３およびボディ側第２通信部１１８との間で行われる通信を「ホットライン通信」と称する。また、ホットライン通信に利用される４つの信号線（信号線ＨＲＥＱ，ＨＡＮＳ，ＨＣＬＫ，およびＨＤＡＴ）から成る伝送路を第２伝送路と称する。
【００５６】
図５は、ホットライン通信の例を示すタイミングチャートである。本実施形態のボディ制御部１０３は、ホットライン通信を第２の所定周期（本実施形態では例えば１ミリ秒）毎に開始するように構成されている。この周期は、コマンドデータ通信を行う周期よりも短い。図５（ａ）は、ホットライン通信が所定周期Ｔｎ毎に繰り返し実行されている様子を示す図である。繰り返し実行されるホットライン通信のうち、ある１回の通信の期間Ｔｘを拡大した様子が図５（ｂ）に示されている。以下、図５（ｂ）のタイミングチャートに基づいて、ホットライン通信の手順を説明する。
【００５７】
ボディ制御部１０３およびボディ側第２通信部１１８は、ホットライン通信の開始時（Ｔ６）、まず接点ＢＰ７からＬレベルの信号を出力する。すなわち、信号線ＨＲＥＱの信号レベルをＬレベルにする。レンズ側第２通信部２１８は、この信号が接点ＬＰ７に入力されたことをレンズ制御部２０３に通知する。レンズ制御部２０３はこの通知に応じて、レンズ位置データを生成する生成処理５０１の実行を開始する。生成処理５０１とは、レンズ制御部２０３が不図示のフォーカシングレンズ位置検出部にフォーカシングレンズ２１０ｂの位置を検出させ、検出結果を表すレンズ位置データを生成する処理である。
【００５８】
レンズ制御部２０３が生成処理５０１を実行完了すると、レンズ制御部２０３およびレンズ側第２通信部２１８は接点ＬＰ８からＬレベルの信号を出力する（Ｔ７）。すなわち、信号線ＨＡＮＳの信号レベルをＬレベルにする。ボディ制御部１０３およびボディ側第２通信部１１８は、この信号が接点ＢＰ８に入力されたことに応じて、接点ＢＰ９からクロック信号５０２を出力する。すなわち、信号線ＨＣＬＫを介してレンズ側第２通信部２１８にクロック信号を伝送する。
【００５９】
レンズ制御部２０３およびレンズ側第２通信部２１８は、このクロック信号５０２に同期して、接点ＬＰ１０からレンズ位置データを表すレンズ位置データ信号５０３を出力する。すなわち、信号線ＨＤＡＴを介してボディ側第２通信部１１８にレンズ位置データ信号５０３を伝送する。
【００６０】
レンズ位置データ信号５０３の送信が完了すると、レンズ制御部２０３およびレンズ側第２通信部２１８は接点ＬＰ８からＨレベルの信号を出力する。すなわち、信号線ＨＡＮＳの信号レベルをＨレベルにする（Ｔ８）。ボディ側第２通信部１１８は、この信号が接点ＢＰ８に入力されたことに応じて、接点ＬＰ７からＨレベルの信号を出力する。すなわち、信号線ＨＲＥＱの信号レベルをＨレベルにする（Ｔ９）。
【００６１】
上述した時刻Ｔ６〜時刻Ｔ９に行われた通信が、１回のホットライン通信である。上述のように、１回のホットライン通信では、レンズ制御部２０３およびレンズ側第２通信部２１８により、レンズ位置データ信号５０３が１つ送信される。ホットライン通信に利用される接点ＬＰ７、ＬＰ８、ＢＰ７、およびＢＰ８は、他のクロック信号に同期しない非同期信号が伝送される接点である。つまり接点ＬＰ７およびＢＰ７は、非同期信号（信号線ＨＲＥＱの信号レベル／Ｈ（Ｈｉｇｈ）レベル、またはＬ（Ｌｏｗ）レベル）が伝送される接点であり、接点ＬＰ８およびＢＰ８は、非同期信号（信号線ＨＡＮＳの信号レベル／Ｈ（Ｈｉｇｈ）レベル、またはＬ（Ｌｏｗ）レベル）が伝送される接点である。
【００６２】
なお、コマンドデータ通信とホットライン通信は、同時にも或いは一部並行的にも実行することが可能である。すなわち、レンズ側第１通信部２１７とレンズ側第２通信部２１８との一方は、その他方がカメラボディ１００と通信を行っている場合であってもカメラボディ１００と通信を行うことが可能である。
【００６３】
（カメラボディ１００の電源状態の説明）
カメラボディ１００は、電源オフ状態と電源オン状態の２つの状態を有する。カメラボディ１００が電源オフ状態のとき、ユーザは撮影や再生など、カメラボディ１００の機能を利用することができない。カメラボディ１００が電源オン状態のとき、ユーザは静止画および動画の撮影や再生などを行うことができる。
【００６４】
カメラボディ１００の送電部１３０は、カメラボディ１００が電源オフ状態のとき、交換レンズ２００（受電部２３０）に所定の第１出力電流を供給する。第１出力電流は例えば５０ｍＡ程度の電流である。つまり本実施形態のカメラ１では、カメラボディ１００が電源オフ状態であっても、交換レンズ２００に一定の電流が供給される。他方、電源オン状態のとき、カメラボディ１００の送電部１３０は交換レンズ２００（受電部２３０）に電源オフ状態のときよりも大きい第２出力電流を供給する。第２出力電流は、例えば１００ｍＡ程度の電流である。
【００６５】
カメラボディ１００が電源オフ状態のとき、ユーザがボタン１０７を押下すると、ボディ制御部１０３はボタン１０７に加えられた押下操作を検知してカメラボディ１００を電源オン状態にする。他方、カメラボディ１００が電源オン状態のとき、ユーザがボタン１０７を押下すると、ボディ制御部１０３はカメラボディ１００を電源オフ状態にする。つまり、ボディ制御部１０３は、カメラボディ１００の電源オフ状態と電源オン状態とを切り替える。
【００６６】
また、カメラボディ１００の電源オフ状態と電源オン状態との切り替えは、交換レンズ２００に設けられたボタン２０７によっても行うことが可能である。ボタン２０７が押下されたときにボディ制御部１０３およびレンズ制御部２０３が実行する処理の詳細については、後に詳述する。
【００６７】
（送電部１３０および受電部２３０の説明）
図６は、送電部１３０および受電部２３０の詳細を示すブロック図である。送電部１３０は、第１出力電流（５０ｍＡ）を供給可能なシリーズレギュレータ１３１と、第２出力電流（１００ｍＡ）を供給可能なＤＣ／ＤＣコンバータ１３２と、これら２つの電源回路と接点ＢＰ１との接続を切り替え可能なスイッチＳＷ３と、を有している。シリーズレギュレータ１３１およびＤＣ／ＤＣコンバータ１３２には、それぞれバッテリー１３３が接続されている。バッテリー１３３は、例えばリチウムイオンバッテリーなどの周知の二次電池であり、カメラボディ１００および交換レンズ２００への電力の供給源である。
【００６８】
ボディ制御部１０３は、カメラボディ１００が電源オフ状態のときにはシリーズレギュレータ１３１により第１出力電流（５０ｍＡ）が、カメラボディ１００が電源オン状態のときにはＤＣ／ＤＣコンバータ１３２により第２出力電流（１００ｍＡ）がそれぞれ交換レンズ２００に供給されるように、送電部１３０のスイッチＳＷ３を切り替える。つまり、カメラボディ１００が電源オン状態のとき、スイッチＳＷ３は接点ＢＰ１とシリーズレギュレータ１３１を接続し、カメラボディ１００が電源オフ状態のとき、スイッチＳＷ３は接点ＢＰ１とＤＣ／ＤＣコンバータ１３２を接続する。
【００６９】
受電部２３０は、カメラボディ１００が電源オフ状態のときには第１出力電流（５０ｍＡ）を、カメラボディ１００が電源オン状態のときには第２出力電流（１００ｍＡ）をそれぞれカメラボディ１００（送電部１３０）から受給する。受電部２３０は、受給したこれらの出力電流を、レンズ制御部２０３および各種の周辺回路２３１，２３２に供給する。図６に示した周辺回路２３１，２３２は、それぞれ例えばモータのドライブ回路や像ぶれの検出回路などである。なお、図６では一例として、２つの周辺回路２３１，２３２を図示しているが、このような周辺回路はいくつであってもよい。
【００７０】
受電部２３０は、これらの周辺回路２３１，２３２への電流供給を切り替え可能な複数のスイッチＳＷ１，ＳＷ２を有する。レンズ制御部２０３はこれらのスイッチＳＷ１，ＳＷ２のオンオフを個別に制御可能に構成されている。
【００７１】
（交換レンズ２００の動作状態の説明）
交換レンズ２００は、カメラボディ１００が電源オフ状態のとき、第１出力電流（５０ｍＡ）よりごく小さな所定の第１消費電流（例えば０．１ｍＡ）で動作する。このような小さな消費電流量で動作できるのは、後述するように、カメラボディ１００が電源オフ状態のときの交換レンズ２００の処理内容がごく限られているためである。以下、交換レンズ２００が第１消費電流（０．１ｍＡ）で動作する状態を、第１動作状態と呼ぶ。
【００７２】
交換レンズ２００は上述の第１動作状態に加えて、第２動作状態および第２動作状態を有している。第２動作状態とは、交換レンズ２００が第２消費電流（例えば５０ｍＡ）で動作する状態である。第２消費電流（５０ｍＡ）は、第１消費電流（０．１ｍＡ）より大きいが第１出力電流（５０ｍＡ）以下の消費電流量である。交換レンズ２００が第１動作状態および第２動作状態のとき、ユーザはカメラ１を用いた撮影を行うことができない。また、交換レンズ２００が第１動作状態および第２動作状態のとき、レンズ側第１通信部２１７は、カメラボディ１００とのコマンドデータ通信を行うことができない。これは、交換レンズ２００が第１動作状態または第２動作状態のとき、レンズ制御部２０３が受電部２３０のスイッチＳＷ１，ＳＷ２を切り替え、撮影やコマンドデータ通信に必要な周辺回路に電流の供給を行わせないためである。
【００７３】
交換レンズ２００の第３動作状態とは、交換レンズ２００が第１出力電流（５０ｍＡ）より大きく第２出力電流（１００ｍＡ）以下の第３消費電流（例えば１００ｍＡ）で動作する状態である。このとき、交換レンズ２００の各周辺回路には電流の供給が行われ、カメラボディ１００は交換レンズ２００の全機能を利用することができる。カメラボディ１００が電源オン状態のとき、交換レンズ２００は第３動作状態である。
【００７４】
（カメラボディ１００の操作による電源オンの説明）
図７は、ボタン１０７の押下によりカメラボディ１００を電源オン状態にする様子を示すタイミングチャートである。このタイミングチャートには、カメラボディ１００の送電部１３０から交換レンズ２００に供給される電流量と、交換レンズ２００の消費電流量と、信号線ＲＤＹの信号レベルと、信号線ＣＬＫの信号レベルと、が示されている。
【００７５】
図７に示すタイミングチャートの先頭から時刻Ｔ１１までの間、カメラボディ１００は電源オフ状態である。このとき、送電部１３０から受電部２３０には、第１出力電流（５０ｍＡ）が供給されている。また、交換レンズ２００は第１消費電流（０．１ｍＡ）で動作している。つまり、交換レンズ２００は第１動作状態である。
【００７６】
カメラボディ１００が電源オフ状態のとき、信号線ＲＤＹの信号レベルはＬ（Ｌｏｗ）レベルであり、信号線ＣＬＫはＬ（Ｌｏｗ）レベルである。このときボディ制御部１０３は、ボタン１０７の押下操作の検知と、信号線ＲＤＹの信号レベルの変化の検知と、のみを行っている。従って、ボディ制御部１０３の消費電力は、電源オン状態のときと比べてごくわずかである。またレンズ制御部２０３は、ボタン２０７の押下操作の検知と、信号線ＣＬＫの信号レベルの変化の検知と、のみを行っている。従って、交換レンズ２００はごく小さな消費電流である第１消費電流（０．１ｍＡ）しか消費しない。
【００７７】
図７の時刻Ｔ１１は、ユーザがカメラボディ１００のボタン１０７を押下した時刻である。ボディ制御部１０３はボタン１０７の押下操作を検知すると電源オン状態となり、交換レンズ２００への第２出力電流（１００ｍＡ）の供給を開始する。つまり、図６に示すスイッチＳＷ３をＤＣ／ＤＣコンバータ１３２の側に切り替え、接点ＢＰ１とＤＣ／ＤＣコンバータ１３２とを接続する。
【００７８】
次にボディ制御部１０３は、ボディ側第１通信部１１７を制御し、信号線ＣＬＫの信号レベルをＬレベルからＨレベルにする（時刻Ｔ１２）。信号線ＣＬＫに出力されるこの信号は、カメラボディ１００が電源オフ状態から電源オン状態になったことを表す信号である。つまり、ボタン１０７によるカメラ１の起動シーケンスにおいて、信号線ＣＬＫは、カメラボディ１００が電源オン状態になったことを表す信号の入出力に利用される。
【００７９】
レンズ制御部２０３は、第１動作状態のときに信号線ＣＬＫに出力されたこの信号を検知すると、交換レンズ２００を第３動作状態とし、第３消費電流（１００ｍＡ）による動作を開始させる（時刻Ｔ１３）。レンズ制御部２０３は、種々の周辺回路への通電を行い、交換レンズ２００の起動処理を開始する。起動処理においてレンズ制御部２０３は、レンズ側第１通信部２１７の初期化を行い、前述のコマンドデータ通信が行えるようにする。信号線ＲＤＹに出力されるこの信号は、レンズ制御部２０３がレンズ側第１通信部２１７の初期化中であることを表す信号である。つまり、ボタン１０７によるカメラ１の起動シーケンスにおいて、信号線ＲＤＹは、レンズ制御部２０３がレンズ側第１通信部２１７を初期化していることを表す信号の入出力に利用される。レンズ制御部２０３は、この初期化処理が完了すると、信号線ＲＤＹの信号レベルをＬレベルからＨレベルにする。ボディ制御部１０３はこの信号を検知することにより、交換レンズ２００とコマンドデータ通信が可能な状態になったことを認識する。
【００８０】
この後、ボディ制御部１０３はコマンドデータ通信により交換レンズ２００とのデータ通信を行い、撮影等の通常動作に必要な種々の初期化処理を行う。これにより、カメラ１を用いた撮影や再生等が行えるようになる。
【００８１】
（交換レンズ２００の操作による電源オンの説明）
図８は、ボタン２０７の押下によりカメラボディ１００を電源オン状態にする様子を示すタイミングチャートである。このタイミングチャートには図７と同様に、カメラボディ１００の送電部１３０から交換レンズ２００に供給される電流量と、交換レンズ２００の消費電流量と、信号線ＲＤＹの信号レベルと、信号線ＣＬＫの信号レベルと、が示されている。
【００８２】
タイミングチャートの先頭から時刻Ｔ２１までの間、カメラボディ１００は電源オフ状態である。図７で説明したように、交換レンズ２００は、カメラボディ１００が電源オフ状態のとき、第１動作状態で動作する。
【００８３】
図８の時刻Ｔ２１は、ユーザが交換レンズ２００のボタン２０７を押下した時刻である。レンズ制御部２０３はボタン２０７の押下操作を検知すると、これに応じて第２動作状態となり、第２消費電流（５０ｍＡ）による動作を開始する。第２動作状態のとき、交換レンズ２００の各周辺回路には通電されておらず、レンズ制御部２０３は限られた処理のみを実行することが可能である。これは、送電部１３０から供給される出力電流が限られているため、電流を大きく消費する処理を実行することができないためである。
【００８４】
レンズ制御部２０３は、交換レンズ２００が第２動作状態になったことに応じて、レンズ側第１通信部２１７を制御し、信号線ＲＤＹの信号レベルをＬレベルからＨレベルにする（時刻Ｔ２２）。信号線ＲＤＹに出力されるこの信号は、電源オン状態への状態変更指示を表す信号である。つまりレンズ側第１通信部２１７は、交換レンズ２００が第２動作状態になったことに応じて、電源オン状態への状態変更指示を表す信号をカメラボディ１００（ボディ側第１通信部１１７）に出力する。
【００８５】
ボディ制御部１０３は、信号線ＲＤＹに出力されたこの信号の入力に応じてカメラボディ１００を電源オン状態に切り替える（時刻Ｔ２３）。電源オン状態になったので、ボディ制御部１０３は図６に示すスイッチＳＷ３を切り替え、接点ＢＰ１をＤＣ／ＤＣコンバータ１３２に接続する。これにより、交換レンズ２００に第２出力電流（１００ｍＡ）が供給される。
【００８６】
スイッチＳＷ３の切り替えが完了すると、ボディ制御部１０３はボディ側第１通信部１１７を制御し、信号線ＣＬＫの信号レベルをＬレベルからＨレベルにする（時刻Ｔ２４）。信号線ＣＬＫに出力されるこの信号は、カメラボディ１００が、信号線ＲＤＹに出力された信号により電源オン状態になったことを表す信号である。つまりボディ側第１通信部１１７は、送電部１３０が第２出力電流を供給可能になったことに応じて、交換レンズ２００（レンズ側第１通信部２１７）にカメラボディ１００が電源オン状態になったことを表す信号を出力する。レンズ制御部２０３は第２動作状態のとき、信号線ＣＬＫに出力されたこの信号を検知して交換レンズ２００を第３動作状態にし、第３消費電流（１００ｍＡ）による動作を開始させる（時刻Ｔ２５）。つまり交換レンズ２００は、第２動作状態のとき、この信号がレンズ側第１通信部２１７に入力されたことに応じて第３動作状態になる。
【００８７】
上述した第１の実施の形態によるカメラシステムによれば、次の作用効果が得られる。
（１）受電部２３０は、カメラボディ１００が電源オフ状態のときには第１出力電流を、カメラボディ１００が電源オン状態のときには第１出力電流より大きい第２出力電流を、それぞれカメラボディ１００から受給する。また、交換レンズ２００は、第１出力電流より小さい第１消費電流で動作する第１動作状態と、第１消費電流より大きいが第１出力電流以下である第２消費電流で動作する第２動作状態と、第１出力電流より大きいが第２出力電流以下である第３消費電流で動作する第３動作状態と、を有する。カメラボディ１００が電源オフ状態のとき、交換レンズ２００は第１動作状態で動作し、レンズ制御部２０３によりボタン２０７の操作が検知されると第２動作状態になる。レンズ側第１通信部２１７はこれに応じて、電源オン状態への状態変更指示を表す信号をカメラボディ１００に出力する。その後交換レンズ２００は、カメラボディ１００が上記信号により電源オン状態になったことを表す信号がレンズ側第１通信部２１７に入力されたことに応じて第３動作状態になる。このようにしたので、交換レンズ側の操作部材による電源状態の変更を、機械的な接続切換機構を使用せず且つ低消費電力で行うことが可能となる。
【００８８】
（２）レンズ側第１通信部２１７は、カメラボディ１００からクロック信号が出力される信号線ＣＬＫと、カメラボディ１００からクロック信号に同期してデータ信号が出力される信号線ＢＤＡＴと、レンズ側第１通信部２１７からクロック信号に同期してデータ信号が出力される信号線ＬＤＡＴと、レンズ側第１通信部２１７からレンズ側第１通信部２１７のデータ通信の可否を表す通信可否信号が出力される信号線ＲＤＹと、を用いてカメラボディ１００とのデータ通信が可能に構成される。レンズ側第１通信部２１７は、電源オン状態への状態変更指示を表す信号の出力を信号線ＲＤＹにより行い、カメラボディ１００が上記信号により電源オン状態になったことを表す信号の入力を信号線ＣＬＫにより行う。このようにしたので、電源オン時にのみ用いられる専用の信号線を用意する必要がなくなり、保持部１０２，２０２の接点数が削減される。
【００８９】
（３）レンズ側第１通信部２１７は、交換レンズ２００が第１動作状態および第２動作状態のとき、カメラボディ１００とのデータ通信を行えない。このようにしたので、交換レンズ２００が第１動作状態および第２動作状態のときに交換レンズ２００が消費する電流量が削減される。
【００９０】
（４）交換レンズ２００は、第１動作状態のとき、カメラボディ１００が電源オン状態になったことを表す信号がレンズ側第１通信部２１７に入力されたことに応じて第３動作状態になる。このようにしたので、カメラボディ１００側の操作部材によりカメラ１を起動させる際に第１動作状態を経由させる必要がなく、カメラ１を高速に起動させることができる。
【００９１】
（５）交換レンズ２００は、第１動作状態および第２動作状態のとき、撮影を行えない。このようにしたので、撮影を行える第３動作状態に比べて、第１動作状態および第２動作状態における交換レンズ２００の消費電力を小さくすることができる。
【００９２】
（６）交換レンズ２００は、カメラボディ１００が前記電源オフ状態のとき、第１動作状態で動作すると共に、レンズ制御部２０３によりボタン２０７の操作が検知されたことに応じて第２動作状態になる。レンズ側第１通信部２１７は、交換レンズ２００が第２動作状態になったことに応じてボディ側第１通信部１１７に所定の第１信号を出力し、ボディ制御部１０３は、当該第１信号の入力に応じてカメラボディ１００を電源オン状態に切り替える。その後、ボディ側第１通信部１１７は、送電部１３０が第２出力電流を供給可能になったことに応じてレンズ側第１通信部２１７に所定の第２信号を出力し、交換レンズ２００は、第２動作状態のとき、当該第２信号の入力に応じて第３動作状態になる。このようにしたので、交換レンズ２００側のボタン２０７の押下操作により、カメラボディ１００を電源オン状態にすることが可能となる。
【００９３】
（７）送電部１３０は、第１出力電流を供給可能なシリーズレギュレータ１３１と、第２出力電流を供給可能なＤＣ／ＤＣコンバータ１３２とを有する。カメラボディ１００が電源オフ状態のとき、交換レンズ２００にはシリーズレギュレータ１３１により電力が供給され、カメラボディ１００が電源オン状態のとき、交換レンズ２００にはＤＣ／ＤＣコンバータ１３２により電力が供給される。このようにしたので、電源オフ状態のときに消費される電力量を低減することができる。
【００９４】
次のような変形も本発明の範囲内であり、変形例の一つ、もしくは複数を上述の実施形態と組み合わせることも可能である。
【００９５】
（変形例１）
上述した実施の形態のレンズ制御部２０３は、電源オン状態への状態変更指示を表す信号を、信号線ＲＤＹに出力させていた。またボディ制御部１０３は、カメラボディ１００が電源オン状態になったことを表す信号を、信号線ＣＬＫに出力させていた。これらの各信号は、それぞれ異なる信号線により入出力されてよい。例えば前者の信号を信号線ＬＤＡＴで、後者の信号を信号線ＢＤＡＴで、それぞれ入出力するようにしてもよい。
【００９６】
（変形例２）
上述した第１出力電流、第２出力電流の電流値は一例であり、本発明はこれに限定されない。すなわち、第１出力電流として５０ｍＡ以外の電流値を用いてもよいし、第２出力電流として１００ｍＡ以外の電流値を用いてもよい。また、これらの電流値はあくまで代表値であり、実際の動作時には多少のばらつきや揺らぎが生じうる。つまり、第１出力電流が５０ｍＡであると言ったとき、それは第１出力電流が厳密に５０ｍＡでなければならない、ということを意味しない。以上の点について、第１消費電流、第２消費電流、および第３消費電流についても同様である。
【００９７】
（変形例３）
上述した実施の形態では、交換レンズ２００側のボタン２０７を押下した場合の動作について説明した。カメラボディ１００を電源オン状態にする操作部材は、このようなボタンに限定されない。例えば、結像光学系２１０の焦点状態を調節するフォーカス環や絞り２１１の開口径を調節する絞り環などの操作部材を交換レンズ２００に設け、カメラボディ１００が電源オフ状態のときにこれらの操作部材が操作されると、カメラボディ１００が電源オン状態になるようにしてもよい。つまり、カメラボディ１００を電源オン状態にする交換レンズ２００側の操作部材は、カメラボディ１００の電源状態を変更するためだけに設けられた操作部材でなくてもよい。
【００９８】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００９９】
１…カメラ、１００…カメラボディ、１０１…レンズマウント、１０２…保持部、１０３…ボディ制御部、１１７…ボディ側第１通信部、１１８…ボディ側第２通信部、１３０…送電部、１３１…シリーズレギュレータ、１３２…ＤＣ／ＤＣコンバータ、１３３…バッテリー、２００…交換レンズ、２０１…レンズマウント、２０２…保持部、２０３…レンズ制御部、２１０…結像光学系、２１７…レンズ側第１通信部、２１８…レンズ側第２通信部、２３０…受電部
【図１】
0005729067.tif 000002
【図２】
0005729067.tif 000003
【図３】
0005729067.tif 000004
【図４】
0005729067.tif 000005
【図５】
0005729067.tif 000006
【図６】
0005729067.tif 000007
【図７】
0005729067.tif 000008
【図８】
0005729067.tif 000009